(57)【要約】【課題】複数回のコンクリートの打継ぎにより施工されるコンクリート構造物の部位に問題が生じた場合、その問題が生じた部位の施工情報などの履歴情報を容易に把握できるようにする。【解決手段】コンクリート構造物のコンクリートや施工に関するデータを、打継ぎ単位領域毎に分けてデータベースに記録するデータ記録処理プログラム２３と、コンクリート構造物を打継ぎ単位領域毎に区分けした打継ぎ単位領域区分図を表示する打継ぎ単位領域区分図表示処理プログラム２４と、指定した打継ぎ単位領域のデータ送信を要求するデータ送信要求処理プログラム２５と、当該指定した打継ぎ単位領域を打継ぎ単位領域区分図上で他の打継ぎ単位領域と異なるように表示させる打継ぎ単位領域特定表示処理プログラム２６と、指定した打継ぎ単位領域のデータを受信して表示するデータ表示処理プログラム２８とを備えた。【選択図】図１
2010203110.tif 000002
【特許請求の範囲】
【請求項１】
複数回のコンクリートの打継ぎにより施工されるコンクリート構造物の施工情報管理処理プログラムであって、
コンクリート構造物のコンクリートや施工に関するデータを、コンクリート構造物の打継ぎ単位領域毎に分けて記録媒体に記録する手段としてコンピュータを機能させるデータ記録処理プログラムと、
コンクリート構造物を打継ぎ単位領域毎に区分けした打継ぎ単位領域区分図を表示画面上に表示する手段としてコンピュータを機能させる打継ぎ単位領域区分図表示処理プログラムと、
打継ぎ単位領域を指定する領域指定情報を入力して、記録媒体を管理する管理コンピュータに領域指定情報で特定される打継ぎ単位領域のコンクリートや施工に関するデータの送信を要求する手段としてコンピュータを機能させるデータ送信要求処理プログラムと、
打継ぎ単位領域を指定する領域指定情報を入力して、領域指定情報で特定される打継ぎ領域区分図上での打継ぎ単位領域を他の打継ぎ単位領域と異なるように表示させる手段としてコンピュータを機能させる打継ぎ単位領域特定表示処理プログラムと、
データの送信要求に応じて記録媒体から送信されてくる打継ぎ単位領域のコンクリートや施工に関するデータを表示させる手段としてコンピュータを機能させるデータ表示処理プログラムとを備えたことを特徴とするコンクリート構造物の施工情報管理処理プログラム。
【請求項２】
複数回のコンクリートの打継ぎにより施工されるコンクリート構造物の施工情報管理処理プログラムであって、
コンクリート構造物のコンクリートや施工に関するデータを、施工日毎に分けて記録媒体に記録するとともに、施工日と施工日に施工された打継ぎ単位領域とを関連付けて記録媒体に記録する手段としてコンピュータを機能させるデータ記録処理プログラムと、
コンクリート構造物を打継ぎ単位領域毎に区分けした打継ぎ単位領域区分図を表示画面上に表示する手段としてコンピュータを機能させる打継ぎ単位領域区分図表示処理プログラムと、
コンクリート構造物の施工日情報を入力して、記録媒体を管理する管理コンピュータに施工日情報で特定される打継ぎ単位領域のコンクリートや施工に関するデータの送信を要求する手段としてコンピュータを機能させるデータ送信要求処理プログラムと、
コンクリート構造物の施工日情報を入力して、施工日情報で特定される打継ぎ領域区分図上での打継ぎ単位領域を他の打継ぎ単位領域と異なるように表示させる手段としてコンピュータを機能させる打継ぎ単位領域特定表示処理プログラムと、
データの送信要求に応じて記録媒体から送信されてくる打継ぎ単位領域のコンクリートや施工に関するデータを表示させる手段としてコンピュータを機能させるデータ表示処理プログラムとを備えたことを特徴とするコンクリート構造物の施工情報管理処理プログラム。
【請求項３】
記録媒体に記録されるコンクリート構造物のコンクリートや施工に関するデータは、コンクリート製造設備から送られてくるコンクリート製造管理データ、コンクリート試験室から送られてくるコンクリート試験データ、工事現場から送られてくる施工データであることを特徴とする請求項１又は請求項２に記載の施工情報管理処理プログラム。
【発明の詳細な説明】
【技術分野】
【０００１】
本発明は、複数回のコンクリートの打継ぎにより施工されるコンクリート構造物の施工情報管理処理プログラムに関する。
【背景技術】
【０００２】
工事日報データ、工事写真データ、工事図面データを工事現場の端末機からデータベースに記録し、工事現場の端末機からデータベースに記録された工事日報データなどを読み出せるようにした工事管理方法が知られている（特許文献１等参照）。
【先行技術文献】
【特許文献】
【０００３】
【特許文献１】特許第３７１５５３４号特許公報
【発明の概要】
【発明が解決しようとする課題】
【０００４】
上記工事管理方法では、単に工事日報データなどを電子化して読み出せるようにしているだけである。従って、上記工事管理方法を、複数回のコンクリートの打継ぎにより施工されるコンクリート構造物の施工管理に採用したとしても、コンクリート構造物の部位に問題が生じた場合、問題の原因究明を容易に行うことができないという問題点があった。
本発明は、上記問題点に鑑みてなされたもので、複数回のコンクリートの打継ぎにより施工されるコンクリート構造物の部位に問題が生じた場合の問題の原因究明するために、その問題が生じた部位の施工情報、その部位に使用したコンクリートの製造情報や品質確認のための試験結果情報などの履歴情報（トレーサビリティ）を容易に把握することができるコンクリート構造物の施工情報管理処理プログラムを提供する。
【課題を解決するための手段】
【０００５】
本発明に係るコンクリート構造物の施工情報管理処理プログラムは、複数回のコンクリートの打継ぎにより施工されるコンクリート構造物の施工情報管理処理プログラムであって、コンクリート構造物のコンクリートや施工に関するデータを、コンクリート構造物の打継ぎ単位領域毎に分けて記録媒体に記録する手段としてコンピュータを機能させるデータ記録処理プログラムと、コンクリート構造物を打継ぎ単位領域毎に区分けした打継ぎ単位領域区分図を表示画面上に表示する手段としてコンピュータを機能させる打継ぎ単位領域区分図表示処理プログラムと、打継ぎ単位領域を指定する領域指定情報を入力して、記録媒体を管理する管理コンピュータに領域指定情報で特定される打継ぎ単位領域のコンクリートや施工に関するデータの送信を要求する手段としてコンピュータを機能させるデータ送信要求処理プログラムと、打継ぎ単位領域を指定する領域指定情報を入力して、領域指定情報で特定される打継ぎ領域区分図上での打継ぎ単位領域を他の打継ぎ単位領域と異なるように表示させる手段としてコンピュータを機能させる打継ぎ単位領域特定表示処理プログラムと、データの送信要求に応じて記録媒体から送信されてくる打継ぎ単位領域のコンクリートや施工に関するデータを表示させる手段としてコンピュータを機能させるデータ表示処理プログラムとを備えたので、問題の生じた打継ぎ単位領域がコンクリート構造物のどの位置にあるかを容易に確認でき、かつ、その問題の生じた打継ぎ単位領域のコンクリートや施工に関するデータを容易に確認できるので、問題の生じた打継ぎ単位領域の問題の原因究明が容易となる。
本発明に係る別のコンクリート構造物の施工情報管理処理プログラムは、複数回のコンクリートの打継ぎにより施工されるコンクリート構造物の施工情報管理処理プログラムであって、コンクリート構造物のコンクリートや施工に関するデータを、施工日毎に分けて記録媒体に記録するとともに、施工日と施工日に施工された打継ぎ単位領域とを関連付けて記録媒体に記録する手段としてコンピュータを機能させるデータ記録処理プログラムと、コンクリート構造物を打継ぎ単位領域毎に区分けした打継ぎ単位領域区分図を表示画面上に表示する手段としてコンピュータを機能させる打継ぎ単位領域区分図表示処理プログラムと、コンクリート構造物の施工日情報を入力して、記録媒体を管理する管理コンピュータに施工日情報で特定される打継ぎ単位領域のコンクリートや施工に関するデータの送信を要求する手段としてコンピュータを機能させるデータ送信要求処理プログラムと、コンクリート構造物の施工日情報を入力して、施工日情報で特定される打継ぎ領域区分図上での打継ぎ単位領域を他の打継ぎ単位領域と異なるように表示させる手段としてコンピュータを機能させる打継ぎ単位領域特定表示処理プログラムと、データの送信要求に応じて記録媒体から送信されてくる打継ぎ単位領域のコンクリートや施工に関するデータを表示させる手段としてコンピュータを機能させるデータ表示処理プログラムとを備えたので、施工日を指定することで、任意の日時に施工された打継ぎ単位領域及び当該打継ぎ単位領域に関するデータを確認することができるようになる。
また、記録媒体に記録されるコンクリート構造物のコンクリートや施工に関するデータは、コンクリート製造設備から送られてくるコンクリート製造管理データ、コンクリート試験室から送られてくるコンクリート試験データ、工事現場から送られてくる施工データであるので、コンクリート構造物の部位に問題が生じた場合、問題の原因究明をより詳細に行う事が可能となる。
【図面の簡単な説明】
【０００６】
【図１】ダム施工情報管理処理プログラムを示す図。
【図２】ダム施工情報管理システムを示す図。
【図３】打継ぎ単位領域区分を示す図。
【図４】データベースに記録されるデータを示す図。
【図５】データ選択指定用画面、データ表示画面の一例を示す図。
【発明を実施するための形態】
【０００７】
図２に示すように、形態１によるダム施工情報管理処理プログラム２０が採用される環境であるダム施工情報管理システム１は、管理コンピュータとしてのサーバコンピュータ２と、サーバコンピュータ２に接続されてサーバコンピュータ２により管理される記録媒体としてのデータベース３と、現場事務所４Ａに設置された現場事務所端末コンピュータ４と、コンクリート製造設備（バッチャプラント）５Ａに設置されたコンクリート製造設備端末コンピュータ５と、コンクリート試験室６Ａに設置されたコンクリート試験室端末コンピュータ６と、ダムサイト工事現場７Ａで作業する作業者などが携帯するダムサイト工事現場端末コンピュータ７と、ダム施工を行う建設会社の本社や支店、あるいは、発注者のオフィスなどの関係場所８Ａに設置された関係場所端末コンピュータ８とを備える。
各端末コンピュータ４；５；６；７；８は、ＬＡＮ（構内通信網）や公共通信網としてのインターネットなどの通信網１０を介してサーバコンピュータ２と接続可能である。コンクリート製造設備端末コンピュータ５とコンクリート試験室端末コンピュータ６とが有線又は無線を介して互いにデータを送受信可能である。コンクリート製造設備端末コンピュータ５又はコンクリート試験室端末コンピュータ６と現場事務所端末コンピュータ４とが有線又は無線を介して互いにデータを送受信可能である。端末コンピュータ４；５；６；７；８はパーソナルコンピュータ、携帯電話、モバイルコンピュータ等である。
【０００８】
サーバコンピュータ２は、現場事務所端末コンピュータ４から送られてくるダム施工管理データ、コンクリート製造設備端末コンピュータ５から送られてくるコンクリート製造管理データ、コンクリート試験室端末コンピュータ６から送られてくるコンクリート試験結果データ、ダムサイト工事現場端末コンピュータ７から送られてくるダム施工データをデータベース３に記録し、保存する。
データベース３には、ダム施工管理データ、コンクリート製造管理データ、コンクリート試験結果データ、ダム施工データとして、例えば、図４に示すような、種々のデータが記録される。
【０００９】
コンクリート構造物としてのダム堤体は、ブロックとリフトとで複数に区分けされた打継ぎ単位領域毎にコンクリートが打継がれて施工される。つまり、ダム堤体は、複数回のコンクリートの打継ぎにより施工される。
【００１０】
図１に示すように、本形態１によるダム施工情報管理処理プログラム２０は、サーバコンピュータ用処理プログラム２１と端末コンピュータ用処理プログラム２２とを備える。
サーバコンピュータ用処理プログラム２１は、データ記録処理プログラム２３である。
端末コンピュータ用処理プログラム２２は、打継ぎ単位領域区分図表示処理プログラム２４、データ送信要求処理プログラム２５、打継ぎ単位領域特定表示処理プログラム２６、選択指定処理プログラム２７、データ表示処理プログラム２８である。
端末コンピュータ用処理プログラム２２は、サーバコンピュータ２から端末コンピュータに配信される。
【００１１】
サーバコンピュータ２は、データ記録処理プログラム２３に基いて各端末４；５；６；７；８から送られてくるデータを、施工された打継ぎ単位領域毎に分けてデータベース３に記録する。
即ち、データ記録処理プログラム２３は、ダム堤体のコンクリートや施工に関するデータを、ダム堤体の打継ぎ単位領域毎に分けてデータベースに記録する手段としてサーバコンピュータ２を機能させる。
【００１２】
次に、例えば、ダム施工途中、又は、ダム施工後において、任意のブロック番号ａと任意のリフト番号ｂとで指定される打継ぎ単位領域ａｂのデータを確認する場合について説明する。この場合、任意のブロック番号ａや任意のリフト番号ｂは、１つでも良いし、複数でも良い。任意のブロック番号ａと任意のリフト番号ｂとを１つずつ指定すれば、ブロックとリフトとで複数に区分けされた打継ぎ単位領域のうちの１つの打継ぎ単位領域が指定され、任意のブロック番号ａと任意のリフト番号ｂとのうち少なくともどちらかの番号を複数指定すれば、複数の打継ぎ単位領域が指定されることになる。
尚、ダム堤体の施工においては、一般的に１日に１つの打継ぎ単位領域を施工する。
【００１３】
まず、任意の端末コンピュータからサーバコンピュータ２にアクセスして、サーバコンピュータ２にログインする。これにより、サーバコンピュータ２は端末コンピュータに端末コンピュータ用処理プログラム２２を送信（配信）する。
端末コンピュータは、打継ぎ単位領域区分図表示処理プログラム２４に基いて、図３に示すような、ダム堤体をブロックとリフトとで区分けした打継ぎ単位領域区分図３２を画像表示装置３０の表示画面３１に表示する。
即ち、打継ぎ単位領域区分図表示処理プログラム２４は、コンクリート構造物を打継ぎ単位領域毎に区分けしたダム堤体の打継ぎ単位領域区分図３２を表示画面３１上に表示する手段として端末コンピュータを機能させる。
【００１４】
そして、操作者は端末コンピュータに打継ぎ単位領域ａｂを指定する操作を行う。この打継ぎ単位領域ａｂの指定は、例えば、打継ぎ単位領域区分図３２の下に表示されたブロック番号指示欄３５及び打継ぎ単位領域区分図３２の横に表示されたリフト番号指示欄３６の番号をクリックして指定する。これにより、端末コンピュータが打継ぎ単位領域ａｂを認識する。尚、打継ぎ単位領域ａｂの指定は、例えば、打継ぎ単位領域区分図３２の打継ぎ単位領域そのものをクリックして指定するものでもよい。
【００１５】
端末コンピュータに打継ぎ単位領域ａｂが指定された場合、端末コンピュータは、打継ぎ単位領域特定表示処理プログラム２６に基づいて、指定された打継ぎ単位領域ａｂを打継ぎ単位領域区分図３２上で他の打継ぎ単位領域と異なるように表示する。例えば、指定された打継ぎ単位領域ａｂを、打継ぎ単位領域区分図３２上において、点滅表示したり、他の打継ぎ単位領域ａｂｘと異なる色で表示する。
即ち、打継ぎ単位領域特定表示処理プログラム２６は、指定された打継ぎ単位領域ａｂの領域指定情報を入力して、領域指定情報で特定される打継ぎ単位領域ａｂを打継ぎ単位領域区分図３２上で他の打継ぎ単位領域ａｂｘと異なるように表示させる手段として端末コンピュータを機能させる。
【００１６】
また、端末コンピュータに打継ぎ単位領域ａｂが指定された場合、端末コンピュータは、データ送信要求処理プログラム２５に基いて、指定された打継ぎ単位領域ａｂに関するデータの送信要求を生成し、サーバコンピュータ２に送る。
即ち、データ送信要求処理プログラム２５は、指定された打継ぎ単位領域ａｂの領域指定情報を入力して、サーバコンピュータ２に当該領域指定情報で特定される打継ぎ単位領域ａｂのコンクリートや施工に関するデータの送信を要求する手段として端末コンピュータを機能させる。
【００１７】
サーバコンピュータ２は、端末コンピュータからの送信要求を入力して、指定された打継ぎ単位領域ａｂに関するデータを端末コンピュータに送信する。
端末コンピュータは、サーバコンピュータ２から送られてきた打継ぎ単位領域ａｂのコンクリートや施工に関するデータを、データ表示処理プログラム２８に基いて、表示画面３１に表示させる。
【００１８】
尚、端末コンピュータは、選択指定処理プログラム２７に基いて、サーバコンピュータ２に送信要求する打継ぎ単位領域ａｂに関するデータの種類を端末コンピュータの操作者に選択指定させるためのデータ選択指定用画面４０（図５参照）を表示画面３１に表示させる。これにより、端末コンピュータから、どのようなデータを送信要求するかを選択できる。
即ち、選択指定処理プログラム２７は、サーバコンピュータ２に送信要求する打継ぎ単位領域ａｂに関するデータの種類を選択指定させるためのデータ選択指定用画面４０を表示画面３１に表示させる手段として端末コンピュータを機能させる。
【００１９】
打継ぎ単位領域ａｂに関するデータは、打継ぎ単位領域ａｂに関する上述したダム施工管理データ、コンクリート製造管理データ、コンクリート試験結果データ、ダム施工データである。
打継ぎ単位領域ａｂに関するデータは、具体的には、打継ぎ単位領域ａｂの打設情報（打設日報）のようなダム施工データ、打継ぎ単位領域ａｂに使用されたコンクリートのコンクリート試験結果データ、打継ぎ単位領域ａｂに使用されたコンクリートの材料温度データ、打継ぎ単位領域ａｂに使用されたコンクリートの製造データなどである。
【００２０】
例えば、図５に示すように、表示画面３１に表示されたデータ選択指定用画面４０において、「材料温度」を指定すると、端末コンピュータはサーバコンピュータ２に指定された打継ぎ単位領域の材料温度情報の送信を要求する。これにより、サーバコンピュータ２から端末コンピュータに材料温度データが送信され、データ表示処理プログラム２８に基いて、表示画面３１に、例えば図５に示すような、材料温度情報が表示される。尚、図５において、Ｎｏ．は、打継ぎ単位領域を示す番号である。
【００２１】
形態１のダム施工情報管理処理プログラム２０によれば、データ記録処理プログラム２３により、ダム堤体のコンクリートや施工に関するデータを、ダム堤体の打継ぎ単位領域毎に分けてデータベース２に記録し、打継ぎ単位領域区分図表示処理プログラム２４により、ダム堤体を打継ぎ単位領域毎に区分けした打継ぎ単位領域区分図３２を表示画面３１上に表示でき、打継ぎ単位領域特定表示処理プログラム２６により、ダム堤体のコンクリートや施工に関するデータのうち確認したい打継ぎ単位領域ａｂを他の打継ぎ単位領域ａｂｘと異なるように表示でき、データ送信要求処理プログラム２８により、指定した特定の打継ぎ単位領域ａｂのコンクリートや施工に関するデータの送信をサーバコンピュータ２に要求でき、データ表示処理プログラム２８により、指定した特定の打継ぎ単位領域ａｂのコンクリートや施工に関するデータを表示画面３１に表示できる。
従って、ダム堤体の打継ぎ単位領域のどこかに問題が生じた場合、問題の生じた打継ぎ単位領域ａｂを指定してその打継ぎ単位領域ａｂを打継ぎ単位領域区分図３２上で特定表示することができるので、問題の生じた打継ぎ単位領域がダム堤体のどの位置にあるかを容易に確認でき、かつ、その問題の生じた打継ぎ単位領域のコンクリートや施工に関するデータを容易に確認できるので、問題の生じた打継ぎ単位領域の問題の原因究明が容易となる。
また、選択指定処理プログラム２７により、問題のある打継ぎ単位領域ａｂに関するデータの種類を選択できるようになるので、問題の生じた打継ぎ単位領域の問題の原因究明がより容易となる。
また、打継ぎ単位領域ａｂのコンクリートや施工に関するデータとして、図４に示すような様々なデータを確認できるため、打継ぎ単位領域ａｂに問題が生じた場合の問題の原因究明をより詳細に行うことができる。
【００２２】
尚、サーバコンピュータ２と各端末コンピュータとの接続は有線又は無線でも良い。
端末コンピュータ用処理プログラム２２は、ＣＤ−ＲＯＭなどの外部記憶媒体に記録された端末コンピュータ用処理プログラム２２を端末コンピュータに予めインストールする形態でもよい。
【００２３】
形態２
例えば、ダム施工中、又は、ダム施工後において、任意の日時に施工された打継ぎ単位領域及び当該打継ぎ単位領域ａｂに関するデータを確認する場合を説明する。任意の日時は、任意の日の特定の時間や時間帯、任意の１日、任意の複数日のいずれでも良い。
形態２の場合、サーバコンピュータ２は、データ記録処理プログラム２３に基いて各端末４；５；６；７から送られてくるデータを、施工日毎に分けてデータベース３に記録するとともに、施工日と施工日に施工された打継ぎ単位領域とを関連付けてデータベース３に記録する。
この場合のデータ記録処理プログラム２３は、ダム堤体のコンクリートや施工に関するデータを、ダム堤体の施工日毎に分けてデータベース３に記録するとともに、施工日と施工日に施工された打継ぎ単位領域とを関連付けてデータベース３に記録する手段としてサーバコンピュータ２を機能させる。
端末コンピュータは、打継ぎ単位領域区分図表示処理プログラム２４に基いて、ダム堤体をブロックとリフトとで区分けした打継ぎ単位領域区分図３２を画像表示装置３０の表示画面３１に表示する。
端末コンピュータは、表示画面３１に表示される図外の施工日指定欄に任意の施工日が指定入力された場合、データ送信要求処理プログラム２５に基いて、その施工日に施工された打継ぎ単位領域ａｂを示す情報と当該打継ぎ単位領域ａｂに関するデータとを送るようサーバコンピュータ２への送信要求を生成し、その送信要求をサーバコンピュータ２に送信する。
サーバコンピュータ２は、端末コンピュータからの送信要求を入力して、その施工日に施工された打継ぎ単位領域ａｂを示す情報と当該打継ぎ単位領域ａｂに関するデータとを端末コンピュータに送信する。
端末コンピュータは、サーバコンピュータ２から送られてきたその施工日に施工された打継ぎ単位領域ａｂを示す情報を入力し、打継ぎ単位領域特定表示処理プログラム２４に基いて、その施工日に施工された打継ぎ単位領域ａｂを示す特定情報を入力して、その施工日に施工された打継ぎ単位領域ａｂを打継ぎ単位領域区分図３２上に他の打継ぎ単位領域ａｂｘと異なるように表示させる。
即ち、打継ぎ単位領域特定表示処理プログラム２４は、端末コンピュータに任意の施工日が指定された場合に、サーバコンピュータ２から当該施工日に施工された打継ぎ単位領域ａｂを示す情報を入力して、打継ぎ単位領域区分図３２上において当該打継ぎ単位領域ａｂを他の打継ぎ単位領域ａｂｘと異なるように表示させる手段として端末コンピュータを機能させる。
サーバコンピュータ２は、端末コンピュータからの送信要求を入力して、指定された施工日に施工された打継ぎ単位領域ａｂに関するデータを端末コンピュータに送信する。
端末コンピュータは、データ表示処理プログラム２８に基いて、サーバコンピュータ２から送られてきた打継ぎ単位領域ａｂに関するデータを表示画面３１に表示させる。
また、選択指定処理プログラム２７に基いて、サーバコンピュータ２に送信要求する打継ぎ単位領域ａｂに関するデータの種類を端末コンピュータの操作者に選択指定させるための選択指定画面４０を表示画面３１に表示させる。これにより、端末コンピュータから、どのようなデータを送信要求するかを選択できる。
【００２４】
形態２による上記各プログラムからなるダム施工情報管理処理プログラム２０によれば、施工日を指定することで、任意の日時に施工された打継ぎ単位領域ａｂ及び当該打継ぎ単位領域ａｂに関するデータを確認することができる。また、施工期間を指定することもでき、施工期間に施工された打継ぎ単位領域ａｂを確認できて、問題の原因究明をより詳細に行う事が可能となる。例えば、材料製造が異常であったり、環境温度などの条件が異常であったりした場合に、材料製造が異常であった日、環境温度などの条件が異常であった日を指定して、その日に施工された打継ぎ単位領域ａｂ及び当該打継ぎ単位領域ａｂに関するデータを確認することができる。
【産業上の利用可能性】
【００２５】
本発明の施工情報管理処理プログラムは、複数回のコンクリートの打継ぎにより施工されるコンクリート構造物としての橋脚や橋台のようなマスコンクリート構造物などの施工情報管理に使用しても効果が得られる。
【符号の説明】
【００２６】
２０  ダム施工情報管理処理プログラム、２３  データ記録処理プログラム、
２４  打継ぎ単位領域区分図表示処理プログラム、
２５  データ送信要求処理プログラム、
２６  打継ぎ単位領域特定表示処理プログラム、２７  選択指定処理プログラム、
２８  データ表示処理プログラム。
【図１】
2010203110.tif 000003
【図２】
2010203110.tif 000004
【図３】
2010203110.tif 000005
【図４】
2010203110.tif 000006
【図５】
2010203110.tif 000007